(57)【特許請求の範囲】
【請求項１】
機械フレームに支持された調節軸と、該調節軸を横切る揺動軸の回りを揺動可能な、くわえづめ開きカムとリンク連結されたレバーアームと、前記調節軸の回転を前記レバーアームの揺動に変換する連結伝動機構とを有し、無端に周回するように案内されるチェーンのくわえづめキャリッジに取り付けられたくわえづめが、該くわえづめを開くためにカムローラによって前記くわえづめ開きカム上をこれと接触して走行する、枚葉紙印刷機における枚葉紙排紙用のチェーンデリバリのくわえづめ開きカム用調節装置において、
前記調節軸（４）と前記レバーアーム（７，９）との間で運動を伝達する働きをする前記連結伝動機構は左ねじと右ねじの組み合わせを備え、該組み合わせにより、前記調節軸（４）は、該調節軸の一部に形成されたスピンドルねじ（１２）によって、前記機械フレームに固定されて設けられたスピンドルナット（１３）内にねじ込み可能であり、かつ、前記調節軸の前記スピンドルねじ（１２）とは異なる部分に形成され、反対方向巻きにねじが切られたスピンドルねじ（１４）によって、前記レバーアーム（７，９）と結合されているスピンドルナット（１５）と係合していることを特徴とする調節装置。
【請求項２】
前記レバーアーム（７，９）と結合されている前記スピンドルナット（１５）は、前記レバーアームの前記揺動軸（８）に平行な軸心の回りを、前記レバーアーム（７，９）に対して可動に連結されている、請求項１に記載の調節装置。
【請求項３】
前記調節軸が、３６０°より小さい所定の角度だけ回転したときのリードが、前記くわえづめ開きカム（１）の、可能な全調節行程に対応している、請求項１または２に記載の調節装置。
【請求項４】
前記くわえづめ開きカム（１）の調節用のアナログ表示手段（１９、２０）が前記調節軸（４）に連結されている、請求項１から３のいずれか１項に記載の調節装置。
【請求項５】
前記調節軸（４）の回転角を３６０°より小さく制限するストッパー手段（１７、１８）が前記調節軸（４）に設けられている、請求項１から４のいずれか１項に記載の調節装置。
【請求項６】
前記レバーアームは、前記スピンドルナット（１５）と結合されているアーム（７）と、前記くわえづめ開きカム（１）と結合されているアーム（９）とが結合されたベルクランクとして形成されて前記揺動軸（８）上に固定されており、該揺動軸（８）の軸心が前記機械フレーム内で枚葉紙の搬送方向を横断する方向に支持されている、請求項１から５のいずれか１項に記載の調節装置。
【発明の詳細な説明】
【０００１】
【産業上の利用分野】
本発明は、請求項１の前提部に記載された、枚葉紙印刷機における枚葉紙排紙用のチェーンデリバリのくわえづめ開きカムの調節装置に関する。すなわち、機械フレームに支持された調節軸と、この調節軸を横切る揺動軸の回りを揺動可能な、くわえづめ開きカムとリンク連結されたレバーアームと、前記調節軸の回転をレバーアーム揺動に変換するための連結伝動機構とを有し、無端に周回するように案内されるチェーンのくわえづめキャリッジに取り付けられたくわえづめが、くわえづめを開くためにカムローラによってくわえづめ開きカムに接触して走行する、枚葉紙印刷機における枚葉紙排紙用のチェーンデリバリのくわえづめ開きカムの調節装置に関する。
【０００２】
【従来の技術】
このような構成上の特徴を有する調節装置は、ドイツ特許明細書第３００２５９１Ｃ２号によって知られている。この公知の装置においては、くわえづめ開きカムが枚葉紙パイルの後側でスプロケット機構の軸心上に配置されていて、この軸心の回りを揺動することによって調節でき、それによって異なる被印刷物材料や、運転に影響を与える他の要因に適合するようにくわえづめを開くタイミングを変えることができる。このために、くわえづめ開きカムは連結器を介してレバーと連結しており、このレバーは枚葉紙搬送を横断する方向に機械フレーム内に支持された軸上に配置されており、ウォーム歯車装置によってこの軸の軸心の回りを揺動できる。ウォーム歯車装置のウォーム歯車は、同様に機械ケーシング内に支持された調節軸上に載っている。調節軸は、ハンドル車等によって回転させることが出来る。全操作角度を通過するためには、ハンドル車もしくは調節軸を数回転させる必要がある。
【０００３】
ドイツ特許明細書第２０４０６７０号により、上記の目的でくわえづめ開きカムを調節するために、大きい揺動行程を有し、それによってくわえづめ開きカムに対して大きい調節角度範囲を可能にする揺れ腕を設けることが知られている。くわえづめ開きカムの調節された位置は、調整の際に緩められる制動装置によって固定される。
【０００４】
さらに、調節装置とは独立した、くわえづめ開きカムの位置の表示装置が知られている。
【０００５】
【発明が解決しようとする課題】
本発明の目的は、調節スピンドルを有し、揺動可能に配置されたくわえづめ開きカムの大きな調節角度範囲のための安価でスペースを取らない調節装置を提供し、さらに調節スピンドルで調節位置を直接表示できるようにすることにある。
【０００６】
【課題を解決するための手段】
本発明において、上記の目的は請求項１の特徴部に開示されている特徴を有する、冒頭に記載した調節装置の構成によって達成される。すなわち、調節軸とレバーアームとの間で運動を伝達する働きをする連結伝動機構が左ねじと右ねじの組み合わせを備え、この組み合わせにより、調節軸が、該調節軸の一部に形成されたスピンドルねじによって、機械フレームに固定されたスピンドルナット内にねじ込み可能であり、かつ、前記調節軸の前記スピンドルねじとは異なる部分に形成され、反対方向巻きにねじが切られたスピンドルねじによって、前記レバーアームと結合されているスピンドルナットと係合している。
【０００７】
【作用】
公知の構成に対するこれらの構成上の特徴により、調節軸を特定の角度だけ回転させることによってくわえづめ開きカムに伝達される調節角度を倍増することができる。調節軸の回転によってくわえづめ開きカムの全調整範囲を通過するためには調節軸の回転角度を２倍にするだけで充分である。右ねじと左ねじとの組み合わせを用いることにより、絶対的な自動ロックが得られるので、調節された位置を固定するための追加の制動装置は省略できる。さらに、本発明の構成の調節装置において、くわえづめ開きカムのその都度の調節角度の直接的な表示が調節軸の操作手段上に行われることができる。これは、調節軸を回転させると機械フレームに固定した目盛り上を移動する針が、調節軸の自由端に配置されたハンドル車に配置されていることによって、簡単に実現できる。
【０００８】
【実施例】
以下に、本発明の実施例を図面に基づいて詳細に説明する。
【０００９】
この実施例では、枚葉紙印刷機における枚葉紙排紙のためのチェーンデリバリの無端に周回する搬送チェーン用のスプロケット３の軸２上にくわえづめ開きカム１が取り付けられている。別の搬送チェーンの方向転換用のもう１つのスプロケットは他の機械側にある。搬送チェーンに、それぞれくわえづめキャリッジの一方の端部が固定されており、これらの搬送チェーンにおいては、くわえづめブリッジにくわえづめが取り付けられている。これらのくわえづめはパイル排紙区域でくわえづめ開きカム１によって開かれる。このために、くわえづめにはローラレバーが設けられており、そのローラがくわえづめ開きカム１に当接する。
【００１０】
くわえづめを開くタイミングを印刷運転に、特に異なる被印刷材料に適合させるための調節装置は調節軸４を有し、その調節軸の一方の端部は、その把持区域が機械ケーシング５から突き出ていて、該端部は把持可能なハンドル車６を支持している。この調節軸４の他方の端部は、ベルクランクの一つのアーム７と連結している。アーム７は、該アームの軸線と共に枚葉紙搬送方向に対して横断方向に機械ケーシング５内で支持された揺動軸８上に配置されている。ベルクランクの他方のアーム９は、ジャーナル１０を支持している。ジャーナル１０はくわえづめ開きカム１の長穴１１に係合しているので、レバーアーム９の角運動の半径方向成分が補償され、接線方向成分のみがくわえづめ開きカム１に伝達される。
【００１１】
本発明によって、調節軸４の回転運動と揺動軸８の回転運動の間の連結伝動機構は、左ねじ及び右ねじの組み合わせを有している。調節軸４は、スピンドルねじ１２によって、機械ケーシング５に固定されたスピンドルナット１３にねじ込むことができる。他方、反対巻き（リード）にねじが切られたスピンドルねじ１４は、対応する反対リードのスピンドルナット１５と噛み合つている。このスピンドルナット１５はアーム７内に可動に支持されており、それによって、このアーム７が調節時に揺動軸８の軸心の回りを揺動することができる。可能な遊びを補償するために、揺動軸８とくわえづめ開きカム１との間にはばね１６が張られている。
【００１２】
２つのスピンドルねじ及びその上にねじ込み可能なスピンドルナットのピッチの選択は、くわえづめ開きカム１の全調節角度範囲がほぼスピンドル１回転に対応するという観点から行われる。調節軸の回転角を３６０°より小さく制限するためにストッパー手段が設けられることは有利である。実施例では、調節軸４と固く連結されたストッパーピン１７が示されている。このストッパーピン１７はケーシング側に固定されたストッパーピン１８と協働する。調節において、一方の止め位置から反対側の止め位置への調節軸の回転は、くわえづめ開きカムの全調節角度範囲に対応している。くわえづめ開きカムの位置を表示するために、ケーシング側に固定された目盛り２０上を動く指針１９がハンドル車６に設けられているので、くわえづめ開きカム１の調節された位置を直接、調節装置の操作手段上で読み取ることができる。連結伝動機構が自動ロック作用を有するため、調節された位置を固定する必要はない。
【００１３】
【発明の効果】
以上、説明したように本発明は次の効果を有する。
１）調節軸とレバーアームとの間の連結伝動機構により、調節軸を特定の角度だけ回転させることによってくわえづめ開きカムに伝達される調節角度を倍増することができると共に、くわえづめ開きカムの大きな調節角度範囲のための安価でスペースを取らない調節装置を提供することができる。
２）右ねじと左ねじとの組み合わせを用いることにより、絶対的な自動ロックが得られ、それによって、調節された位置を固定するための追加の制動装置は省略できる。
３）くわえづめ開きカムの調節用のアナログ表示手段を調節軸に連結することによって、調節軸の操作毎に、くわえづめ開きカムの調節角度の直接的な表示を得ることができる。
４）一方のスピンドルナットと結合されているレバーアームと、くわえづめ開きカムと結合されているレバーアームとによってベルクランクを形成して揺動軸上に固定することにより、くわえづめ開きタイミングを異なる印刷運転、特に異なる被印刷材料に容易に適合させることができる。
【図面の簡単な説明】
【図１】  図１は、くわえづめ開きカム用の調節装置の側面図である。
【図２】  図２は、機械フレーム上のスプロケットの軸受を水平方向に切断した、図１の配置構成の平面図である。
【図３】  図３は、表示装置を有する調節軸回転のためのハンドル車の平面図である。
【符号の説明】
１    くわえづめ開きカム
２    軸
３    スプロケット
４    調節軸
５    機械ケーシング
６    ハンドル車
７，９    アーム
８  揺動軸
１０  ジャーナル
１１  長穴
１２，１４  スピンドルねじ
１３，１５  スピンドルナット
１６  ばね
１７，１８  ストッパーピン
１９  指針
２０  目盛り
【図１】
0003681420.tif 000002
【図２】
0003681420.tif 000003
【図３】
0003681420.tif 000004